(57)【特許請求の範囲】
【請求項１】
床側ガイドレールに下端がそれぞれ横動自在に支持された内外２枚の戸本体を備えた引き違い戸の案内装置であって、この引き違い戸によって開閉される収納空間内に架設された中間棚に前記床側ガイドレールと平行に中間ガイドレールが敷設され、内側戸本体には、前記中間ガイドレールに移動自在に係合して当該内側戸本体を垂直起立姿勢に保持する中間係合滑動手段が設けられると共に、この内側戸本体の上端には、当該内側戸本体の横動方向に沿って上端ガイドレールが設けられ、外側戸本体の横動方向の左右両側部の内、内外２枚の戸本体が互いに反対側の側部どうしが重なる収納空間閉じ位置にあるときに内側戸本体に重ならない一側部には、前記中間ガイドレールに移動自在に係合する中間係合滑動手段がブラケットを介して取り付けられ、当該外側戸本体の他側部には、内側戸本体の前記上端ガイドレールに移動自在に係合する上端係合滑動手段が、内側戸本体の上側を内向きに延出するブラケットを介して取り付けられている引き違い戸の案内装置において、前記上端ガイドレールは、その両端の内、少なくとも内外２枚の戸本体が前記収納空間閉じ位置にあるときに外側戸本体の前記他側部に重なる側の端部が開放されて、当該開放端から前記上端係合滑動手段を上端ガイドレール内に挿脱できるように構成されている、引き違い戸の案内装置。
【請求項２】
外側戸本体の中間係合滑動手段を取り付けるブラケットは、内外２枚の戸本体のほぼ全体が互いに重なる収納空間開き位置にあるときに当該中間係合滑動手段と外側戸本体との間に内側戸本体の側部が入り込む凹入空間を形成する形状に構成されている、請求項１に記載の引き違い戸の案内装置。
【請求項３】
前記中間ガイドレールは下側開放の凹溝部を有するものであり、前記内外両戸本体の中間係合滑動手段は、上昇位置で前記中間ガイドレールの凹溝部に遊嵌する昇降自在なローラーと、少なくとも前記上昇位置でローラー高さをロックするロック解除自在なロック機構を備えている、請求項１又は２に記載の引き違い戸の案内装置。
【請求項４】
前記上端ガイドレールは、内側戸本体の裏面の上端に上側開放の凹溝部を形成する向きに取り付けられた溝形材から成り、前記上端係合滑動手段は、前記上端ガイドレールの凹溝部に上から遊嵌するローラーで構成されている、請求項１に記載の引き違い戸の案内装置。
【請求項５】
前記上端ガイドレールは、内側戸本体の上端面に形成された上側開放の凹溝部から成り、前記上端係合滑動手段は、前記上端ガイドレールの凹溝部に上から遊嵌するローラーで構成されている、請求項１に記載の引き違い戸の案内装置。
【発明の詳細な説明】
【技術分野】
【０００１】
本発明は、主として建物に後から造作される収納空間を開閉するのに活用できる引き違い戸の案内装置に関するものである。
【背景技術】
【０００２】
建物に引き違い戸で開閉できる収納空間を後から造作する場合、内外２枚の戸本体の下端を支持案内する床側ガイドレールは、建物が備えている床面を利用して問題なく敷設することができるが、内外２枚の戸本体の上端側を案内する天井側ガイドレールを取り付ける鴨居相当水平材を架設することが困難な場合がある。
【発明の開示】
【発明が解決しようとする課題】
【０００３】
従って、このような場合には引き違い戸を利用することを断念し、折れ戸を使用することが試みられているが、折れ戸では、収納空間の外側に折れ戸が折り畳まれるときの折れ戸折曲移動空間を確保しなければならず、収納空間の外側の床面を十分に活用できない。
【課題を解決するための手段】
【０００４】
本発明は上記のような従来の問題点を解消し得る引き違い戸の案内装置を提供することを目的とするものであって、請求項１に記載の引き違い戸の案内装置は、後述する実施形態の参照符号を付して示すと、床側ガイドレール８に下端がそれぞれ横動自在に支持された内外２枚の戸本体３，４を備えた引き違い戸１の案内装置であって、この引き違い戸１によって開閉される収納空間２内に架設された中間棚５に前記床側ガイドレール８と平行に中間ガイドレール６が敷設され、内側戸本体３には、前記中間ガイドレール６に移動自在に係合して当該内側戸本体３を垂直起立姿勢に保持する中間係合滑動手段１１ａ，１１ｂが設けられると共に、この内側戸本体３の上端には、当該内側戸本体３の横動方向に沿って上端ガイドレール１２が設けられ、外側戸本体４の横動方向の左右両側部の内、内外２枚の戸本体３，４が互いに反対側の側部どうしが重なる収納空間閉じ位置にあるときに内側戸本体３に重ならない一側部には、前記中間ガイドレール６に移動自在に係合する中間係合滑動手段１５がブラケット１４を介して取り付けられ、当該外側戸本体４の他側部には、内側戸本体３の前記上端ガイドレール１２に移動自在に係合する上端係合滑動手段１７が、内側戸本体３の上側を内向きに延出するブラケット１６を介して取り付けられた引き違い戸１の案内装置において、前記上端ガイドレール１２は、その両端の内、少なくとも内外２枚の戸本体３，４が前記収納空間閉じ位置にあるときに外側戸本体４の前記他側部に重なる側の端部が開放されて、当該開放端から前記上端係合滑動手段１７を上端ガイドレール１２内に挿脱できる構成となっている。
【０００５】
上記構成の本発明を実施するについて、具体的には請求項２に記載のように、外側戸本体４の中間係合滑動手段１５を取り付けるブラケット１４は、内外２枚の戸本体３，４のほぼ全体が互いに重なる収納空間開き位置にあるときに当該中間係合滑動手段１５と外側戸本体４との間に内側戸本体３の側部が入り込む凹入空間３３を形成する形状に構成することができる。
【０００６】
又、請求項３に記載のように、前記中間ガイドレール６は下側開放の凹溝部６ａを有する断面形状とし、前記内外両戸本体３，４の中間係合滑動手段１１ａ，１１ｂ，１５は、上昇位置で前記中間ガイドレール６の凹溝部６ａに遊嵌する昇降自在なローラー２３ａ，２３ｂと、少なくとも前記上昇位置でローラー高さをロックするロック解除自在なロック機構２４を備えた構造とすることができる。
【０００７】
又、前記上端ガイドレール１２は、請求項４に記載のように、内側戸本体３の裏面の上端に上側開放の凹溝部１２ａを形成する向きに取り付けられた溝形材１２ｂから構成することができるが、請求項５に記載のように、内側戸本体３の上端面３ａに形成された上側開放の凹溝部１２ａから構成することもできる。何れの場合も、前記上端係合滑動手段１７は、前記上端ガイドレール１２の凹溝部１２ａに上から遊嵌するローラー３５で構成することができる。
【発明の効果】
【０００９】
上記請求項１に記載の本発明に係る引き違い戸の案内装置によれば、内外２枚の戸本体の内、内側戸本体は、下端が床側ガイドレールに滑動自在に支持されると共に中間高さ位置が中間棚に取り付けられた中間ガイドレールに中間係合滑動手段を介して滑動自在に係合支持されるので、垂直起立姿勢を保って横動することができ、下端が床側ガイドレールに滑動自在に支持される外側戸本体は、その左右の一側部の中間高さ位置が中間棚に取り付けられた中間ガイドレールに中間係合滑動手段を介して滑動自在に係合支持されると共に他側部の上端が、前記のように垂直起立姿勢に支持されている内側戸本体の上端ガイドレールに上端係合滑動手段を介して滑動自在に係合支持されるので、内側戸本体と同様に垂直起立姿勢を保って横動することができる。勿論、内外２枚の戸本体の互いに反対側に位置する側部どうしが互いに重なる収納空間閉じ位置からこれら両戸本体のほぼ全体が互いに重なる収納空間開き位置に当該両戸本体が相対的に横動するとき、外側戸本体の上端係合滑動手段のブラケットは内側戸本体の上側を移動して両戸本体の相対横動を許容するので、外側戸本体の中間係合滑動手段のブラケットと内側戸本体の一側部とが互いに隣接する位置までは、内外２枚の戸本体を前記収納空間開き位置に向けて相対的に横動させることができる。
【００１０】
従って、引き違い戸で開閉される収納空間が中間棚を備えたものでありさえすれば、当該引き違い戸を構成する内外２枚の戸本体は、その上端を天井側ガイドレールで滑動自在に支持させなくとも、それぞれ垂直起立姿勢を保って横動することができるので、引き違い戸の上側に天井側ガイドレールを架設するための鴨居相当水平材を架設することができない構造の現場においても、折れ戸ではなく引き違い戸で開閉される収納空間を造作し、収納空間の外側の床面をフルに活用することができる。更に本発明によれば、外側戸本体の上端係合滑動手段を内側戸本体側の上端ガイドレールの上側に差し入れるための空間を内側戸本体の上側に確保する必要がなくなり、内側戸本体の上端に接近させて建物側の壁材などを配設することができる。
【００１１】
尚、請求項２に記載の構成によれば、外側戸本体の中間係合滑動手段を取り付けるブラケットの存在によって内外２枚の戸本体が前記収納空間開き位置にあるときの両戸本体の重なり代が浅くなるのを抑制し、収納空間の開口率を大きくすることができる。
【００１２】
又、中間ガイドレールは下側開放の凹溝部を有するものとすれば、当該中間ガイドレールを中間棚の前端面や前側辺の底面に取り付けて、中間棚の前側辺の上面に中間ガイドレールを敷設する場合の荷の出し入れに対する弊害を防止できるのであるが、特に請求項３に記載の構成によれば、下端を床側ガイドレールに係合させた各戸本体を、中間係合滑動手段のローラーを下降位置に下げた状態で垂直起立姿勢に起こし、中間ガイドレールの真下に位置する中間係合滑動手段のローラーを上昇位置に上げてロックすれば良いので、当該中間ガイドレールに対する内外両戸本体の中間係合滑動手段のローラーを係合させる作業が容易に行える。
【００１３】
又、請求項４に記載の構成によれば、内側戸本体の厚みに関係なく、必要な幅と高さを有する十分な強度を有する溝形材により上端ガイドレールを構成することができ、外側戸本体の上端係合滑動手段を構成するローラーの直径も大きくして、外側戸本体の上端側の支持強度を高めることができる。反面、請求項５に記載の構成によれば、内側戸本体の上端にある程度の厚さが要求されるが、この内側戸本体の裏側に上端ガイドレールが露出して張り出すことがないので、収納空間を広く活用することができる。
【発明を実施するための最良の形態】
【００１５】
以下に本発明の具体的実施例を添付図に基づいて説明すると、図１〜図３において、１は収納空間２を開閉する引き違い戸であって、内側戸本体３と外側戸本体４とから構成されている。５は収納空間２内の中間高さに架設された中間棚である。この中間棚５は、引き違い戸１の高さのほぼ中央レベルか又はそれより高いレベルで架設されているのが望ましい。この中間棚５の前側辺の底面には、下側開放の凹溝部６ａを備えた溝形材６ｂから成る中間ガイドレール６が敷設されている。又、収納空間２の引き違い戸１が設置される個所の床面７の上には、内側戸本体３を支持案内する内側凹溝部８ａと外側戸本体４を支持案内する外側凹溝部８ｂとを備えた帯板の床側ガイドレール８が敷設されている。
【００１６】
内側戸本体３は、その下端の左右両端近くの位置に埋設された左右一対の下端ローラーユニット９ａ，９ｂと、裏面側の中間ガイドレール６に対応する高さにブラケット１０ａ，１０ｂを介して取り付けられた左右一対の中間係合滑動手段１１ａ，１１ｂと、上端の裏面側にこの内側戸本体３の横動方向に沿って取り付けられた上端ガイドレール１２を備えている。又、外側戸本体４は、その下端の左右両端近くの位置に埋設された左右一対の下端ローラーユニット１３ａ，１３ｂと、左右両側部の内、図１に示すように、内外両戸本体３，４が互いに反対側の側部どうしが重なる収納空間閉じ位置にあるときに内側戸本体３に重ならない一側部の裏面側に、中間ガイドレール６に対応する高さにブラケット１４を介して取り付けられた中間係合滑動手段１５と、他側部の上端にブラケット１６を介して取り付けられた上端係合滑動手段１７を備えている。
【００１７】
内外両戸本体３，４の下端ローラーユニット９ａ，９ｂ及び１３ａ，１３ｂは同一構造のもので、それぞれ戸本体３、４に埋設されたケーシング１８内に高さ調整自在に昇降体１９が収納され、この昇降体１９内に水平内外向きの支軸により軸支されたローラー２０が戸本体３，４の下端面から下向きに突出するように構成され、内側戸本体３側の下端ローラーユニット９ａ，９ｂのローラー２０は、前記床側ガイドレール８の内側凹溝部８ａ内に嵌合して当該内側戸本体３を横動自在に支持し、外側戸本体４側の下端ローラーユニット１３ａ，１３ｂのローラー２０は、前記床側ガイドレール８の外側凹溝部８ｂ内に嵌合して当該外側戸本体４を横動自在に支持するように構成されている。
【００１８】
内外両戸本体３，４にブラケット１０ａ，１０ｂ及び１４を介して取り付けられる中間係合滑動手段１１ａ，１１ｂ及び１５は同一構造のもので、図４〜図６に示すように、それぞれブラケット１０ａ，１０ｂ及び１４の戸本体横動方向と平行な垂直板部２１の外側（戸本体のある側とは反対側）に昇降自在に取り付けられた可動体２２と、この可動体２２の上端に垂直支軸で軸支された左右一対のローラー２３ａ，２３ｂと、可動体２２を上昇位置でロックするロック機構２４を備えている。可動体２２は、ブラケット１０ａ，１０ｂ及び１４の垂直板部２１の内側（戸本体のある側）に配置され且つ垂直板部２１に設けられた左右一対の上下方向に長い長孔２５に嵌合する左右一対の突条部２６を備えた当て板２７に、前記左右一対の突条部２６を介して一体に結合されたもので、前記長孔２５に対する突条部２６の昇降範囲内で昇降自在に垂直板部２１に保持されている。ロック機構２４は、前記垂直板部２１に対して直角向きに一定範囲内移動自在に可動体２２に保持された操作ピン２８と、この操作ピン２８を垂直板部２１の方に退入させるスプリング２９と、操作ピン２８の内端に突設された係止ピン部２８ａと、可動体２２が上昇位置にあるときに前記操作ピン２８の係止ピン部２８ａが嵌入する位置で前記垂直板部２１に設けられた被係止孔３０から構成され、操作ピン２８をスプリング２９の付勢力に抗して外向きに引っ張ることにより、操作ピン２８の係止ピン部２８ａが垂直板部２１側の被係止孔３０から脱出してロック解除されるので、図６Ｃに示すように可動体２２（ローラー２３ａ，２３ｂ）を上昇位置から下降位置に下げることができる。
【００１９】
内側戸本体３の中間係合滑動手段１１ａ，１１ｂを取り付けるブラケット１０ａ，１０ｂは、図４〜図６に示すように、可動体２２が取り付けられている前記垂直板部２１の左右両側辺から、内側戸本体３の裏面に当て付けて木ネジなどにより取り付ける左右一対の取付け座３１ａ，３１ｂが折曲連設されたものである。外側戸本体４の中間係合滑動手段１５を取り付けるブラケット１４は、図７及び図８に示すように、可動体２２が取り付けられている前記垂直板部２１の左右両側辺の内、内側戸本体３のある側とは反対側の側辺から、外側戸本体４の裏面に当て付けて木ネジなどにより取り付ける１つの取付け座３２が平面視でコの字形に折曲連設されたものであり、その取付け座３２は、外側戸本体４を内側から見たとき、ブラケット１４の垂直板部２１（中間係合滑動手段１５）から上下に張り出す上下一対の取付け部３２ａ，３２ｂを備えたもので、ブラケット１４の垂直板部２１（中間係合滑動手段１５）との間に、内側戸本体３の側部が入り込む凹入空間３３を形成している。
【００２０】
図９及び図１０に示すように、内側戸本体３に取り付けられた上端ガイドレール１２は、上側開放の凹溝部１２ａを備えた溝形材１２ｂから成るもので、その長さ方向複数箇所が側面視Ｌ字形のブラケット３４により内側戸本体３の上端の裏面側に、溝形材１２ｂの上端が内側戸本体３の上端とほぼ面一になるように取り付けられている。又、この上端ガイドレール１２の凹溝部１２ａの両端は開放されている。
【００２１】
外側戸本体４の上端係合滑動手段１７は、前記上端ガイドレール１２の上側開放の凹溝部１２ａに遊嵌する１つのローラー３５から構成されている。この上端係合滑動手段１７を取り付けるブラケット１６は、外側戸本体４の裏面に木ネジなどで取り付けられる取付け座３６の上端から、内側戸本体３の上端（上端ガイドレール１２）より若干高いレベルで当該内側戸本体３の上側を超えて上端ガイドレール１２の上側に達する水平板部３７を折曲連設して成るもので、この水平板部３７の先端部下側に前記ローラー３５が垂直支軸により軸支されている。
【００２２】
尚、図１に示すように、内側戸本体３の左右両側部の内、内外両戸本体３，４が前記収納空間閉じ位置にあるときに外側戸本体４とは重ならない側部の正面側の側辺には、前側に突出する把手部材３８が当該側辺の全長にわたって取り付けられると共に、当該側部の端面には、収納空間２の一側壁２ａに当接する緩衝材３９が当該端面の全長にわたって取り付けられている。又、外側戸本体４の左右両側部の正面側の側辺それぞれには、前側に突出する把手部材４０ａ，４０ｂが当該側辺の全長にわたって取り付けられると共に、当該両側部の端面それぞれには、図１に示すように、内外両戸本体３，４が前記収納空間閉じ位置にあるときに収納空間２の他側壁２ｂに当接する緩衝材４１ａと、図２に示すように、内外両戸本体３，４のほぼ全体が重なる収納空間開き位置にあるときに内側戸本体３の前記把手部材３８に当接する緩衝材４１ｂとがこれら端面の全長にわたって取り付けられている。
【００２３】
引き違い戸１の組付け方法について説明すると、内側戸本体３の中間係合滑動手段１１ａ，１１ｂにおける可動体２２を、ロック機構２４の操作ピン２８をスプリング２９の付勢力に抗して引き出すことにより係止ピン部２８ａをブラケット１０ａ，１０ｂ側の係止孔３０から脱出させて可動体２２に対するロックを解除した状態で、図６Ａ及びＢに示す上昇位置から図６Ｃに示す下降位置まで下げる。この状態の内側戸本体３の左右一対の下端ローラーユニット９ａ，９ｂのローラー２０を、当該内側戸本体３を上端側が収納空間２から離れる方向に傾けた状態で、床側ガイドレール８の内側凹溝部８ａに嵌合させる。そして内側戸本体３を垂直姿勢に起こして、中間係合滑動手段１１ａ，１１ｂの下降位置にある可動体２２上の左右一対のローラー２３ａ，２３ｂを、中間棚５の前側辺下側の中間ガイドレール６の真下に位置させる。係る状態で、内側戸本体３の左右両側から手を当該内側戸本体３の内側に差し入れ、各中間係合滑動手段１１ａ，１１ｂのロック機構２４の操作ピン２８を摘んで可動体２２を上昇位置まで持ち上げる。この結果、図６Ａ及びＢに示すように、左右一対のローラー２３ａ，２３ｂが中間棚５側の中間ガイドレール６の凹溝部６ａ内に嵌合すると同時に、ロック機構２４における操作ピン２８の係止ピン部２８ａがスプリング２９の付勢力でブラケット１０ａ，１０ｂ側の係止孔３０に嵌合し、可動体２２（ローラー２３ａ，２３ｂ）が上昇位置にロックされる。
【００２４】
上記のようにして組付けられた内側戸本体３は、その下端が左右一対の下端ローラーユニット９ａ，９ｂを介して床側ガイドレール８に横動自在に支持されると共に、中間棚５に対応する中間高さ位置が左右一対の中間係合滑動手段１１ａ，１１ｂを介して中間棚５側の中間ガイドレール６に横動自在に係合することになるので、これら床側ガイドレール８と中間ガイドレール６とで垂直起立姿勢で横動自在に支持されることになる。
【００２５】
次に外側戸本体４を組み付けるが、このときも当該外側戸本体４の中間係合滑動手段１５の可動体２２（ローラー２３ａ，２３ｂ）を上記の要領で下降位置に下げておく。そしてこの外側戸本体４の上端係合滑動手段１７におけるローラー３５を、内側戸本体３の上端ガイドレール１２の長さ方向の一方の開放端から当該上端ガイドレール１２の凹溝部１２ａ内に嵌め込みながら、左右一対の下端ローラーユニット１３ａ，１３ｂのローラー２０を床側ガイドレール８の外側凹溝部８ｂに嵌合させる。この結果、外側戸本体４は、垂直起立姿勢に保持されている内側戸本体３の上端ガイドレール１２と床側ガイドレール８とで垂直起立姿勢に保持されると共に、その中間係合滑動手段１５の下降位置にあるローラー２３ａ，２３ｂが中間棚５側の中間ガイドレール６の真下に位置することになるので、当該外側戸本体４を内側戸本体に重ねる方向に滑動させ、外側戸本体４の内側戸本体３から遠い側の側辺から内側に差し入れた手で当該外側戸本体４の中間係合滑動手段１５の可動体２２（ローラー２３ａ，２３ｂ）を先に説明した要領で上昇位置に上げてロックすれば、中間係合滑動手段１５のローラー２３ａ，２３ｂが中間棚５側の中間ガイドレール６の凹溝部６ａ内に嵌合させることができる。
【００２６】
上記のようにして組付けられた外側戸本体４は、下端が左右一対の下端ローラーユニット１３ａ，１３ｂを介して床側ガイドレール８に横動自在に支持されると共に、当該外側戸本体４の左右両側部の一方は、中間係合滑動手段１５を介して中間棚５側の中間ガイドレール６に横動自在に係合し、当該外側戸本体４の左右両側部の他方は、上端係合滑動手段１７を介して内側戸本体３の上端ガイドレール１２に横動自在に係合することになるので、これら床側ガイドレール８、中間ガイドレール６、及び内側戸本体３の上端ガイドレール１２によって垂直起立姿勢で横動自在に支持されることになる。
【００２７】
従って、内側戸本体３と外側戸本体４とを互いに離れる方向に横動させ、図１に示すように、これら内外両戸本体３，４の互いに離れる方向に移動する側の側部（緩衝材３９，４１ａ）を収納空間２の両側壁２ａ，２ｂに当接させたとき、内外両戸本体３，４の互いに接近移動する側の側部どうしが互いに重なる収納空間閉じ位置となる。このように内外両戸本体３，４が収納空間閉じ位置にあるとき、外側戸本体４の上端係合滑動手段１７（ローラー３５）は、内側戸本体３側の上端ガイドレール１２の一端部に達している。
【００２８】
上記の収納空間閉じ位置にある内外両戸本体３，４を互いに接近して重なり代が大きくなる方向に相対的に横動させると、外側戸本体４の上端係合滑動手段１７（ローラー３５）は、そのブラケット１６の水平板部３７が内側戸本体３の上側を相対的に横動しながら内側戸本体３側の上端ガイドレール１２の一端部から他端部側へ相対的に移動することになり、内外両戸本体３，４の中間係合滑動手段１１ａ，１１ｂ及び１５（ローラー２３ａ，２３ｂ）は中間ガイドレール６内を移動するので、内外両戸本体３，４は垂直起立姿勢を保って横動することができる。そして図２に示すように、内側戸本体３の把手部材３８
に外側戸本体４の一側部（緩衝材４１ｂ）が当接して、内外両戸本体３，４の相対的な横動が制止されたとき、内側戸本体３の把手部材３８がある側とは反対側の側部が、外側戸本体４の中間係合滑動手段１５のブラケット１４における凹入空間３３内に入り込んでおり、内外両戸本体３，４は、ほぼ全体が互いに重なる収納空間開き位置になる。この状態では、内外両戸本体３，４を一体に左右に横動させ、収納空間２の開放場所を左右横方向に変えることができる。
【００２９】
尚、内外両戸本体３，４が前記収納空間閉じ位置から前記収納空間開き位置に向かって相対移動させたとき、内側戸本体３の把手部材３８と外側戸本体４の一側部（緩衝材４１ｂ）とが当接して当該相対移動を制止させるように構成したが、外側戸本体４の中間係合滑動手段１５を取り付けているブラケット１４の凹入空間３３に入り込む内側戸本体３の側部と当該ブラケット１４とが当接して当該相対移動を制止させるように構成することもできる。この場合、ブラケット１４とこれに当接する内側戸本体３の側部との内、少なくとも何れか一方に緩衝材を付設することができる。
【００３０】
又、内側戸本体３の上端に設けられる上端ガイドレール１２は、図１１及び図１２に示すように、内側戸本体３の上端面３にその長さ方向全長にわたって凹溝を刻設し、この凹溝に嵌合して固定した上側開放向きの溝形材１２ｂの凹溝部１２ｂを上端ガイドレール１２とすることもできる。この場合、内側戸本体３の上端面３を構成する部材に十分な強度があるときは、当該上端面に刻設された凹溝そのものを上端ガイドレール１２として、溝形材１２ｂを省くこともできる。
【００３１】
更に、中間係合滑動手段１１ａ，１１ｂ，１５や上端係合滑動手段１７は、中間ガイドレール６の凹溝部６ａや上端ガイドレール１２の凹溝部１２ａに遊嵌するスライドブロックから構成することもできるし、中間ガイドレール６や上端ガイドレール１２を一枚の垂直な帯状板から構成するときは、中間係合滑動手段１１ａ，１１ｂ，１５や上端係合滑動手段１７として、当該帯状板を左右両側から挟む一対のローラーや、当該帯状板が嵌合するスリットを備えたスライドブロックから構成することもできる。
【００３２】
又、収納空間２の間口が広いときは、上記のように構成される本発明の引き違い戸の案内装置で支持案内される引き違い戸１を、複数組直列状に配設することができる。
【図面の簡単な説明】
【００３３】
【図１】Ａ図は引き違い戸が収納空間閉じ位置にあるときの一部切欠き平面図、Ｂ図は収納空間閉じ位置にあるときの引き違い戸を収納空間内から見たときの一部切欠き立面図である。
【図２】Ａ図は引き違い戸が収納空間開き位置にあるときの一部切欠き平面図、Ｂ図は同状態での引き違い戸の中間係合滑動手段の上位置での横断平面図である。
【図３】Ａ図は図１Ａの状態での引き違い戸の端面図、Ｂ図は同状態での内側戸本体の縦断側面図である。
【図４】内側戸本体に取り付けられる中間係合滑動手段を示す正面図である。
【図５】同上中間係合滑動手段の横断平面図である。
【図６】Ａ図は同上中間係合滑動手段のロック機構を外れた位置での縦断側面図、Ｂ図は同上中間係合滑動手段のロック機構位置での縦断側面図、Ｃ図は同上中間係合滑動手段の可動体（ローラー）を下降位置に切り換えた状態でのロック機構位置での縦断側面図である。
【図７】外側戸本体に取り付けられる中間係合滑動手段を示す正面図である。
【図８】同上中間係合滑動手段の平面図である。
【図９】外側戸本体に取り付けられる上端係合滑動手段と内側戸本体の上端ガイドレールとの係合箇所を示す拡大平面図である。
【図１０】同上係合箇所を収納空間内から見たときの拡大立面図である。
【図１１】同上係合箇所の変形例を示す平面図である。
【図１２】同上係合箇所の変形例を示す縦断側面図である。
【符号の説明】
【００３４】
１    引き違い戸
２    収納空間
３    内側戸本体
４    外側戸本体
５    中間棚
６    中間ガイドレール
８    床側ガイドレール
９ａ，９ｂ，１３ａ，１３ｂ    下端ローラーユニット
１０ａ，１０ｂ，１４，１６，３４    ブラケット
１１ａ，１１ｂ，１５    中間係合滑動手段
１７    上端係合滑動手段
２２    中間係合滑動手段の可動体
２３ａ，２３ｂ，３５    係合滑動手段のローラー
２４    中間係合滑動手段のロック機構
２７    当て板
２８    操作ピン
２８ａ    操作ピンの係止ピン部
２９    スプリング
３０    係止孔
３３    ブラケット１４の凹入空間
【図１】
0004717100.tif 000002
【図２】
0004717100.tif 000003
【図３】
0004717100.tif 000004
【図４】
0004717100.tif 000005
【図５】
0004717100.tif 000006
【図６】
0004717100.tif 000007
【図７】
0004717100.tif 000008
【図８】
0004717100.tif 000009
【図９】
0004717100.tif 000010
【図１０】
0004717100.tif 000011
【図１１】
0004717100.tif 000012
【図１２】
0004717100.tif 000013